(57)【特許請求の範囲】
【請求項１】
第一部材と、前記第一部材に枢軸により回動可能に支持された第二部材と、前記第一部材及び第二部材の一方が他方に対し相対的に回動されるよう付勢する捻りコイルばねとを備えた回動機構において、
前記第一部材及び第二部材のいずれか一方は、前記枢軸の軸線方向に向かい合う一対の突起部を設けた捻りコイルばね用の収納部を有し、
前記捻りコイルばねは、コイル形の両端部が延長形成された当接部を有し、前記各当接部が前記第一部材及び第二部材の異なる一方に当接するよう配されており、
前記一対の突起部は、前記捻りコイルばねのコイル形の両端部を突起部の軸回りに保持しており、また、少なくとも一方の突起部は前記捻りコイルばねの対応当接部側から反力を受ける箇所に設けられたばね保持部を有していることを特徴とする回動機構。
【請求項２】
前記一対の突起部が、同じ側に設けられて前記捻りコイルばねのコイル形の両端を対応軸回りに保持する際に該捻りコイルばねを軸方向に圧縮容易にする傾斜面を有していることを特徴とする請求項１に記載の回動機構。
【請求項３】
前記ばね保持部が前記突起部周囲に形成された凹ないしは切欠形状であることを特徴とする請求項１に記載の回動機構。
【請求項４】
前記突起部が前記第一部材又は前記第二部材に一体に形成されていることを特徴とする請求項１から３の何れかに記載の回動機構。
【請求項５】
前記第一部材がボディパネルに取り付ける取付ベースであり、前記第二部材がグリップ本体であることを特徴とする請求項１から４の何れかに記載の回動機構。
【発明の詳細な説明】
【技術分野】
【０００１】
本発明は、第一部材と第二部材とを回動可能に連結する回動機構として、特に、一方の部材が他方の部材に対して相対的に回動されるよう付勢する付勢手段を有し、更に付勢手段として捻りコイルばねを採用しているタイプの改良技術に関する。
【背景技術】
【０００２】
回動機構には、図９（特許文献１に開示の構成）に例示されるごとく、カップホルダー本体を構成しているカバー３と、カバー３に対し軸部（本発明の枢軸に相当）４２により回動可能に支持された容器拘束用のフラップ４と、カバー３及びフラップ４の一方が他方に対し相対的に回動されるよう付勢する捻りコイルばね５とを備えたものがある。ここで、カバー３は、一対の支持部３４と、各支持部３４に同軸線上に設けられた軸穴３５とを有している。フラップ４は、捻りコイルばね用の収納部つまり脚部４１同士の間の収納空間と、各脚部４１の内面側に対向して設けられた突起４３と、各脚部４１の外面側にあって突起４３の軸線上に設けられた軸部４２とを有している。捻りコイルばね５は、コイル形の両端部が延長形成された当接部を有している。そして、フラップ４は、両支持部３４に対し軸部４２及び軸穴３５の嵌合を介して回動可能に連結されている。捻りコイルばね５は、コイル形の両端部が対応突起４３の軸回りに保持されると共に、各当接部がカバー３及びフラップ４の異なる一方に当接するよう配置されている。
【０００３】
以上の捻りコイルばねは、ばねトルクが高いと、フラップ４を捻りコイルばね５の付勢力に抗して回動したとき、ばね変形が大きくなってコイル形の端部が突起４３から外れる虞がある。この対策としては、コイル形の端部に嵌入される突起４３を長くして外れ難くすることも考えられるが、突起４３を長くすると捻りコイルばねを突起の軸回りに保持できなくなる。
【０００４】
他の対策としては、図１０（特許文献２に開示の構成）に例示されるごとく、捻りコイルばねを一対の突起で保持する構成に代えて、シャフト５を用いてシャフトの軸回りに保持することにより外れを防ぐこともある。同図中、符号２はグリップ本体、符号３Ａと３Ｂはグリップ本体２をシャフト５を介して回動可能に連結保持する保持体（本発明の取付ベースに相当）、符号４と５はグリップ本体２を保持体３Ａ，３Ｂに回動可能に連結するシャフトである。
【先行技術文献】
【特許文献】
【０００５】
【特許文献１】特開２００６−３４１８００号公報
【特許文献２】特開２００３−２００７７０号公報
【発明の概要】
【発明が解決しようとする課題】
【０００６】
上記回動機構において、図９の機構は簡易であるが、捻りコイルばねが両側の突起から外れるという虞がある。図１０の機構はシャフトにより捻りコイルばねの外れの虞を解消できるが、部品数と共に重量も増すことになる。要は何れの機構でも一長一短であり未だ満足できなかった。
【０００７】
本発明の目的は、以上の背景から、前者の回動機構を採用しながらばねトルクが高い捻りコイルばねでも外れ難くして品質を向上することにある。他の目的は組立性も良好に維持できるようにする。更に他の目的は以下の内容説明のなかで明らかにする。
【課題を解決するための手段】
【０００８】
請求項１の発明は、上記目的を達成するために、第一部材と、前記第一部材に枢軸（この枢軸は軸穴と嵌合している）により回動可能に支持された第二部材と、前記第一部材及び第二部材の一方が他方に対し相対的に回動されるよう付勢する捻りコイルばねとを備えた回動機構において、前記第一部材及び第二部材のいずれか一方は、前記枢軸の軸線方向に向かい合う一対の突起部を設けた捻りコイルばね用の収納部を有し、前記捻りコイルばねは、コイル形の両端部が延長形成された当接部を有し、前記各当接部が前記第一部材及び第二部材の異なる一方に当接するよう配されており、 前記一対の突起部は、前記捻りコイルばねのコイル形の両端部を突起部の軸回りに保持しており、また、少なくとも一方の突起部は前記捻りコイルばねの対応当接部側から反力を受ける箇所に設けられたばね保持部を有していることを特徴としている。
【０００９】
以上の請求項１において、『前記第一部材及び第二部材の一方が他方に対し相対的に回動されるよう付勢する』は、形態例のごとく第二部材（例えば、グリップ本体２）が第一部材（例えば、取付ベース１，１Ａ又は保持部材３，３Ａ）に対し付勢力に抗して回動される構成と、第二部材と第一部材とが付勢力に抗して共に回動される構成とを含む。
【００１０】
また、『前記枢軸の軸線方向に向かい合う一対の突起部』とは、図６（ｃ）に例示されるように、一対の突起部３７，３８が枢軸３６，３６の軸線方向Ｘに向かい合う関係、つまり軸線方向Ｘに突出されて互いにほぼ向き合っているという関係である。
【００１１】
以上の本発明は、請求項３〜５で特定したように具体化されることがより好ましい。
（ア）前記一対の突起部が、同じ側に設けられて前記捻りコイルばねのコイル形の両端部を対応軸回りに保持する際に該捻りコイルばねを軸方向に圧縮容易にする傾斜面を有している構成である（請求項２）。
（イ）前記バネ保持部が前記突起部周囲に形成された凹ないしは切欠形状の構成である（請求項３）。
【００１２】
（ウ）前記突起部が前記第一部材又は前記第二部材に一体に形成されている構成である（請求項４）。
（エ）前記第一部材がボディパネルに取り付ける取付ベースであり、前記第二部材がグリップ本体の構成である（請求項５）。
【発明の効果】
【００１３】
請求項１の発明では、図８（ａ），（ｂ）に例示されるように、取付ベース１又は保持部材３は第一部材、グリップ本体２は第二部材であり、捻りコイルばね５は当接部５ｂが固定端側、当接部５ｃがグリップ本体２を取付ベース１に対し付勢力に抗して回動するときに反力を受ける作用端側となる。
【００１４】
この発明では、少なくともその当接部５ｃである動き易い方の作用端をばね保持部３８ｂにて規制することにより、ばねトルクが高い捻りコイルばねでも外れ難くなり、捻りコイルばねの不用意な外れを防いで品質を向上できる。
【００１５】
請求項２の発明では、捻りコイルばねのコイル形の両端部を対応突起部の軸回りに保持する際、捻りコイルばねを軸方向に圧縮容易にする傾斜面を有しているため、図８（ａ）に示されるごとく捻りコイルばねが各突起部の傾斜面に沿って押されると、各傾斜面の案内作用により軸方向に圧縮されながら、各端部が対応突起部と嵌合して捻りコイルばねをワンタッチ操作で支持できる。
【００１６】
請求項３の発明では、ばね保持部が突起部周囲に形成された凹ないしは切欠形状からなるため簡易で実施容易となる。これに対し、請求項４の発明では、突起部が第一部材や第二部材に一体に形成されているため部材数を増やすことなく実施できる。
【００１７】
請求項５の発明は、以上の回動機構の適用例として、第一部材及び第二部材を形態例に挙げたアシストグリップを構成している取付ベースとグリップ本体に特定したものである。但し、請求項１から４において、第一部材及び第二部材は、一方が他方に対し相対的に回動可能に連結されている関係であればよい。
【図面の簡単な説明】
【００１８】
【図１】（ａ）は形態例のアシストグリップの使用状態を示した模式図、（ｂ）は（ａ）のアシストグリップの概略分解構成である。
【図２】上記アシストグリップの外観を示し、（ａ）は上面図、（ｂ）は正面図、（ｃ）は背面図である。
【図３】（ａ）は図２（ａ）のＡ−Ａ線拡大断面図、（ｂ）は（ａ）のＤ−Ｄ線断面図である。
【図４】図２（ｂ）のＢ−Ｂ線拡大断面図である。
【図５】図２（ｂ）のＣ−Ｃ線拡大断面図である。
【図６】（ａ）及び（ｂ）は取付ベースを構成している保持部材と捻りコイルばねの関係を示す異なる方向から見た概略斜視図、（ｃ）は（ｂ）のＥ−Ｅ線断面図である。
【図７】（ａ）は捻りコイルばねを保持部材に組み込む操作を示す図、（ｂ）は捻りコイルばねを組み込んだ状態を示す図である。
【図８】（ａ）は図７（ａ）のＹ方向から見た図、（ｂ）は図７（ｂ）のＹ方向から見た図である。
【図９】特許文献１の回動機構を示し、（ａ）と（ｂ）は文献１の図６である。
【図１０】特許文献２の回動機構を示し、（ａ）と（ｂ）は文献２の図１（ｂ）と図６（ｂ）である。
【発明を実施するための形態】
【００１９】
以下、本発明の形態を図面を参照しながら説明する。この説明では、本発明の回動機構を適用したアシストグリップの全体構造について詳述しながら、回動機構の作動特徴を明らかにする。なお、この形態は、取付ベース１，１Ａ又は保持部材３，３Ａが本発明の第一部材に対応し、グリップ本体２が第二部材に対応した例である。
【００２０】
図１〜図８において、アシストグリップ１５は、車体側に装着される取付ベース１，１Ａと、取付ベース１，１Ａに対し枢軸３６により回動可能に連結保持されたグリップ本体２とからなる。また、取付ベース１，１Ａは、保持部材３又は３Ａと、保持部材３，３Ａに取り付けられる金属製クリップ４及びカバー７と、保持部材３に設けられた収納部３５に配置されて取付ベース１及びグリップ本体２の一方が他方に対し相対的に回動されるよう付勢する捻りコイルばね５と、保持部材３Ａに設けられた収納部３５ａに配置されてグリップ本体２の回動速度を制動するダンパー６とを備えている。なお、グリップ本体２、保持部材３Ａ，３Ｂ、カバー７は共に樹脂成形品であるが、他の材質であってもよい。
【００２１】
ここで、グリップ本体２は、略コ形の中間部分が手で握る把持部２０であり、その両端部２１が背面側を開口形成した空洞部２２を有している。各空洞部２２は、保持部材３，３Ａに対応した大きさであり、左右の両内側面に対向して設けられた枢支用の穴部２３を有している。また、保持部材３を配置する空洞部２２には、ばね係止用凹部２５（図５を参照）が設けられている。保持部材３Ａを配置する空洞部２２には、ダンパー６の一部つまり後述する外筒の凸部８ｂ，８ｃに当接する段部２６，２６ａ（図４を参照）が設けられている。
【００２２】
各穴部２３は、図１（ｂ）に示されるごとく略Ｌ形となっており、端部背面より縦方向に延びている導入穴２３ａと、導入穴２３ａの奥側より水平に延びている軸穴２３ｂとからなる。符号２４は軸穴２３ｂの上側に設けられて軸穴２３ｂと略平行な欠肉部である。この欠肉部２４は、軸穴２３ｂを区画している軸穴２３ｂと欠肉部２４との間の壁部分を弾性揺動可能にして、枢軸３６が軸穴２３ｂに対し、又は、軸穴２３ｂが枢軸３６に対しがたつきなく適度なテンションで回動可能にする。
【００２３】
一方、取付ベース１，１Ａは、以上のグリップ本体２を連結保持した状態で、図４及び図５に示されるごとくボディパネル１０に設けられた取付孔１０ａにクリップ４を介して装着される。この場合、ボディパネル１０は図示を省いた天井トリムで覆われており、取付ベース１，１Ａは前記天井トリムの上に配置される。取付ベース１は、保持部材３に設けられた収納部３５に捻りコイルばね５を配置している。取付ベース１Ａは、保持部材３ａに設けられた収納部３５ａにダンパー６を配置している。
【００２４】
なお、取付ベース１と１Ａ、又は、保持部材３と３Ａは、収納部３５，３５ａを除いてほぼ同じ形状である。このため、保持部材３Ａについては図６に対応する図面を省いた。また、この形態では、特に、捻りコイルばね５と共にダンパー６の保持構造が特許文献２のような従来構造に対し改良工夫されている。
【００２５】
捻りコイルばね５は、図６に示されるごとくコイル巻部の長さＬを両張出部３３の間隔Ｍより少し長く形成されると共に、コイル形の両端部５ａに延長形成された線状の当接部５ｂ，５ｃを有している。ダンパー６は、図１及び図３の各（ｂ）に示されるごとく肉厚内に断面円形空間を形成している外筒８と、前記円形空間に対し流体を入れた状態で回動自在に嵌合された内筒９とからなる。外筒８は、一端側の開口８ａと、外周の２箇所に設けられて段部２６，２６ａと係合しグリップ本体２と一体回動可能にする凸部８ｂ，８ｃ（図４を参照）を有している。内筒９は凸形の閉鎖端部９ａを有している。
【００２６】
各取付ベースを構成している保持部材３，３Ａは、図１及び図６に示されるごとく上下略中間に配置された略矩形状の基板３０と、基板３０の上側に突出されている支持部３４と、基板３０の下側に突出されている略舌状の脚部３９とを有している。また、保持部材３，３Ａには、金属製クリップ４が脚部３９から支持部３４の内側に配置されると共に、カバー７が支持部３４の内側を覆うように装着される。
【００２７】
基板３０には、上下に貫通した２つの貫通孔３１が設けられている。各貫通孔３１は、左右中間に設けられた矩形の開口であり、該開口の両側に設けられているスリット３１ａを有している。基板３０の下面には、四隅に凸部３２が設けられている。脚部３９は、板厚が貫通孔３１同士の間に収まる寸法であり、両側面にあって上下方向に延びる対のリブ３９ａと、前後面にあって両側上下方向に延びたリブ３９ｂと、突出端面に突設された突起３９ｃとを有している。各リブ３９ｂと凸部３２との間には、前記したスリット３１ａが位置している。
【００２８】
支持部３４は、中央部に開口された係合穴３４ａと、上両側より後方に張り出している張出部３３と、両張出部３３の間に区画された捻りコイルばね用収納部３５又はダンパー用収納部３５ａと、各張出部３３の外面に同軸線上に突設された枢軸３６と、収納部３５を区画している各張出部３３の内面に突設されたばね保持用の突起部３７，３８と、収納部３５ａを区画している各張出部３３の内面に突設されたダンパー用連結部３５ｂ，３５ｃ（図３（ｂ）を参照）とを有している。連結部３５ｂは略凸状である。この連結部３５ｂには、図３のごとく外筒の一端側開口８ａが回動可能に係合される。連結部３５ｃは略凹状である。この連結部３５ｃには、内筒の閉鎖端部９ａが回動不能に係合される。
【００２９】
次に、以上の保持部材３，３Ａに対するクリップ４とカバー７の取り付け構造について明らかにする。クリップ４は、図１（ｂ）に示されるごとく略Ｕ形状をなし、対向している板部４ａ及び両板部４ａを連結している連結部からなる。各板部４ａには、下側個所に略コ形のスリットにより区画された弾性係合爪４ｂと、その上側に対向して開口された掛け止め用穴部４ｃとが設けられている。前記連結部には上記突起３９ｃに係合する穴部４ｄ（図２（ｃ）を参照）が設けられている。そして、以上のクリップ４は、保持部材３や３Ａに対し脚部３９を板部４ａ同士の間に挿入し、かつ、突起３９ｃを穴部４ｄに係合することで組み付けられる。組立状態では、各係合爪４ｂが脚部３９の前後面のリブ３９ｂ上に配置されると共に、各板部４ａが対応する貫通孔３１及びスリット３１ａに差し込まれて、板部先端側を支持部３４の内側空間に突出している。
【００３０】
カバー７は、図１（ｂ）と図４及び図５に示されるごとく、支持部３４の内側空間を覆う形状であり、片側側面の下側に突出された取付片部７ａ、内下側に突出されてクリップ側各板部の穴部４ｃ及び支持部の係合穴３４ａに挿入される係止腕部７ｂを有している。取付片部７ａは、下端側に設けられた凹部を対応する枢軸３６に係合することにより、カバー７を保持部材３や３Ａに装着可能にする。係止腕部７ｂは、縦断面が枠状に形成されていると共に、枠状の一辺を両側に設けられたスリットにより揺動可能に形成している。そして、前記枠状の一辺は、前記板部の穴部４ｃの縁部に弾性係合すると共に、図４のごとく揺動端７ｃがカバー上面に延びてドライバー等の工具で解除操作可能となっている。以上のカバー７は、支持部３４に対して、係止腕部７ｂが穴部４ｃに圧接し、かつ取付片部７ａが対応枢軸３６に係合することにより装着される。この装着状態では、クリップ４が各板部の穴部４ｃに串刺し状態に挿通している係止腕部７ｂにより抜け止めされる。カバー７は、前記枠状の一辺の揺動端７ｃを押し、かつ支持部３４から離れる方向に動かされることで外れる。
【００３１】
また、上記した収納部３５は、張出部３３同士の間にあって捻りコイルばね５を受け止め易い略Ｌ形に形成されている。Ｌ形の縦壁面には、突起部３７に近い側にリブ３４ｂが設けられている。このリブ３４ｂは、捻りコイルばね５の一方当接部５ｂを係止する箇所である。枢軸３６及び突起部３７，３８は、図７及び図８に示されるごとく概略同じ軸線上にある。つまり、両側の枢軸３６同士は同軸線上に設けられている。突起部３７，３８は、枢軸３６の軸線方向Ｘに対し、捻りコイルばねの両端部５ａを形成しているコイル形の径方向にずらされている。
【００３２】
すなわち、突起部３７，３８は、互いの突出位置がコイル形の径方向である図７（ａ）のＺ方向にずれている。従って、捻りコイルばね５は、両端部５ａを対応する突起部３７，３８の軸回りに保持した状態において、端部５ａを形成しているコイル形のうち、突起部３７に接近又は当接したコイル箇所と、突起部３８に接近又は当接したコイル箇所とが異方向にずれる。これにより、捻りコイルばね５は、径方向の動きが両突起部３７，３８により規制され易くなり、トルクが高い捻りコイルばねを用いた場合でも突起部３７，３８から外れ難くなる。
【００３３】
また、突起部３７，３８は、図８（ａ）に示されるごとく同じ側に設けられて上から下向きに傾斜した傾斜面３７ａ，３８ａを有している。傾斜面３７ａ．３８ａは、同図の想像線で示したごとく収納部３５に捻りコイルばね５を上から下向きに押してコイル形の各端部５ａを突起部３７，３８の軸回りに保持させる際、捻りコイルばね５が傾斜面３７ａ．３８ａのガイド作用により軸方向に圧縮されるよう誘導する。これにより、この形態では、捻りコイルばね５が突起部３７，３８に対しワンタッチで保持可能となる。捻りコイルばね５は、突起部３７，３８に保持された後、一方当接部５ｂがリブ３４ｂに係止され、作用端である他方当接部５ｃが付勢力に抗して上記凹部２５に係止される。すると、グリップ本体２は、捻りコイルばね５の付勢力で回動されて図２、図４及び図５の実線で示されるごとくボディパネル１０に沿って配される不使用状態となる。
【００３４】
更に、突起部３８は、傾斜面３８ａと反対側に設けられた凹ないしは切欠形状のばね保持部３８ｂを有している。このばね保持部３８ｂは、上記した捻りコイルばね５の当接部５ｃと係合して、当接部５ｃと連結されているコイル形の端部５ａの動きを規制する。これにより、捻りコイルばね５は、動き易い作用端である当接部５ｃがばね保持部３８ｂに係合し位置規制されるため、トルクが高い捻りコイルばねを用いた場合でも突起部３７，３８から外れ難くなる。この点は、捻りコイルばね５が前記したＺ方向にずらされた各突起部３７，３８による規制に加えて、当接部５ｃの動きをばね保持部３８ｂで規制することで突起部３７，３８からの外れの虞がより確実に解消可能となる。なお、以上のばね保持部は突起部３７に設けられていないが、突起部３７にも必要に応じて設けられる。また、符号３７ｂは凹所である。
【００３５】
これに対し、収納部３５ａは、張出部３３同士の間を切り欠いた形状であり、張出部３３同士の間にダンパー６を配置している。各張出部３３の対向内面には、連結部３５ｂ，３５ｃが設けられている。そして、ダンパー６は、収納部３５ａに対し、外筒の一端開口８ａが凸形の連結部３５ｂと回動可能に係合され、内筒の閉鎖端部９ａが凹形の連結部３５ｃと係合固定された状態で組み込まれている。
【００３６】
また、以上の取付ベース１及び１Ａは、グリップ本体端部２１の空洞部２２に配置されて枢軸３６により回動可能に連結保持される。この連結操作では、保持部材両側の枢軸３６を空洞部両側の導入穴２３ａにそれぞれ嵌合した状態から、取付ベース３や３Ａを空洞部２２の末端側に移動する。これにより、両側の枢軸３６が対応する軸穴２３ｂに嵌合される。すると、グリップ本体２に対し各取付ベース１と１Ａが枢軸３６により回動可能に組み付けられて、図２に示されるアシストグリップ１５として完成される。
【００３７】
以上のアシストグリップ１５は、図４及び図５において、グリップ本体２がコイルばね５の付勢力に抗して実線の格納位置から一点鎖線に示した使用位置に回動操作され、使用位置で手を離すと捻りコイルばね５の付勢力により格納位置に再び回動される。その際、グリップ本体２は、段部２６と２６ａの一方が外筒の凸部８ｂ又は凸部８ｃに当接した状態を保って回動され、その結果、外筒８が内筒９に対して流体抵抗を受けながらグリップ本体２と共に制動されてゆっくり回動される。
【００３８】
なお、本発明の回動機構は、請求項１又は２で特定される構成を備えておればよく、細部は形態例を参照し用途等に応じて種々展開可能なものである。その例としては、取付ベース１Ａはダンパー６を省略したり、ダンパー６に代えて捻りコイルばね５を組み入れて取付ベース１と同じ構成にすることである。また、クリップ４を省略して、脚部３９を係合可能な形状に形成し、該脚部３９をパネルの取付孔１０ａに係合固定つまり締結することである。
【符号の説明】
【００３９】
１・・・・・取付ベース（第一部材）
２・・・・・グリップ本体（第二部材）
３・・・・・保持部材（３０は基板、３３は張出部、３４は支持部、３９は脚部）
４・・・・・クリップ（４ａは板部、４ｂは係合爪）
５・・・・・捻りコイルばね（５ａはコイル形の端部、５ｂと５ｃは当接部）
６・・・・・ダンパー
７・・・・・カバー
８・・・・・外筒（８ａは穴部、８ｂと８ｃは凸部）
９・・・・・内筒（９ａは閉鎖端部）
１０・・・・ボディパネル（１０ａは取付孔）
１５・・・・アシストグリップ
２０・・・・把持部（２１は端部、２２は空洞部）
２３・・・・穴部（２３ａは導入穴、軸穴２３ｂ）
２５・・・・凹部
２６・・・・段部
２６ａ・・・段部
３５・・・・捻りコイルばね用収納部
３５ａ・・・ダンパー用収納部
３６・・・・枢軸
３７・・・・突起部（３７ａは傾斜面、３７ｂは凹所）
３８・・・・突起部（３８ａは傾斜面、３８ｂはばね保持部）
【図１】
0006341873.tif 000002
【図２】
0006341873.tif 000003
【図３】
0006341873.tif 000004
【図４】
0006341873.tif 000005
【図５】
0006341873.tif 000006
【図６】
0006341873.tif 000007
【図７】
0006341873.tif 000008
【図８】
0006341873.tif 000009
【図９】
0006341873.tif 000010
【図１０】
0006341873.tif 000011